(57)【要約】  【課題】  ホールダウン金物とアンカーボルトとの施工誤作業によって生じ勝ちな位置ずれの吸収範囲の広いホールダウン金物用位置調整金物を提供する。  【解決手段】  基礎ｃの基部を埋設して先端を前記基礎ｃ上の土台ｂを通じて土台ｂ上に突出したアンカーボルト３１と、前記土台ｂに立設した柱ｐに固着したホールダウン金物２１との間に介在させて、前記アンカーボルト３１と前記ホールダウン金物２１とを接合するようにする。そして、前記アンカーボルト３１に外嵌して組合わせ、上端を該アンカーボルト３１に螺合する第一ナット５に係止する第一円筒体１と、前記ホールダウン金物２１に貫通させて上端を該ホールダウン金物２１に係止する接続ボルト２５に外嵌して組合わせ、下端を該接続ボルト２５に螺合する第二ナット４に係止する第二円筒体２とを備え、第一、第二の各円筒体１，２を、それぞれに設けた接続孔１ｂ´，２ｂ´に緩く挿通させた調整リング３で互いに接続する。【選択図】    図１
2011052382.tif 000002
【特許請求の範囲】
【請求項１】
基礎の基部を埋設して先端を前記基礎上の土台を通じて土台上に突出したアンカーボルトと、前記土台に立設した柱に固着したホールダウン金物との間に介在させて、前記アンカーボルトと前記ホールダウン金物とを接合する金物であって、前記アンカーボルトに外嵌して組合わせ、上端を該アンカーボルトに螺合する第一ナットに係止する第一円筒体と、前記ホールダウン金物に貫通させて上端を該ホールダウン金物に係止する接続ボルトに外嵌して組合わせ、下端を該接続ボルトに螺合する第二ナットに係止する第二円筒体とを備え、第一、第二の各円筒体を、それぞれに設けた接続孔に緩く挿通させた調整リングで互いに接続した、ホールダウン金物用位置調整金物。
【発明の詳細な説明】
【技術分野】
【０００１】
本発明は、土台上に立設した柱の側面に固着したホールダウン金物と、基礎に基部を埋設して前記土台を通じて該土台上に突出させたアンカーボルトを接続して構成する前記柱の接合装置に用いるホールダウン金物用位置調節金物に関するものである。
【背景技術】
【０００２】
基礎コンクリート上に載置した土台上に柱を立設し、該柱を前記基礎に直接固定してその接合状態の安定性を図るために、柱の側面にホールダウン金物を固着し、該ホールダウン金物と、基礎側のアンカーボルトの土台を通じて突出させた先端（上端）を互いに緊結する構造のものが採られているが、この構造のものは、アンカーボルト位置と柱に固着したホールダウン金物位置が一致していれば、不都合はないが、ホールダウン金物とアンカーボルトの位置関係が、誤作業などにより設計どおり施工されない場合が多々ある。
【０００３】
このため、前記位置関係の一致時にも不一致時にも適用できる装置が工夫され、例えば、アンカーボルトに一対の円筒体を並べて止着して調整金物を構成し、この調整金物の一方の円筒体を外嵌してアンカーボルトに組合わせ、該一方の円筒体の上端を該アンカーボルトに螺合するナットに係止させるようにし、また、前記調整金物の他方の円筒体を外嵌して組合わせた屈曲ボルトの下端にナットを螺合し、該ナットに前記他方の円筒体を係止させ、屈曲ボルトの上端を柱に固着したホールダウン金物に係止させるようにした構造のものが提案されている（例えば、特許文献１）。
【先行技術文献】
【特許文献】
【０００４】
【特許文献１】特開２００３−１２９５６７号公報
【発明の概要】
【発明が解決しようとする課題】
【０００５】
前記従来例は、ホールダウン金物とアンカーボルトとの位置ずれを、屈曲ボルトの屈曲形態によって吸収して柱の、所定の接合状態を得ようとするものであるが、前記の位置ずれは必ずしも一定していないから、当該屈曲形態では吸収ができないときがあり、適合する屈曲形態を備えた屈曲ボルトを別途用意しなければならない不便さがある。
【０００６】
本発明は、このような常況に着目し、ホールダウン金物とアンカーボルトとの施工の位置ずれの吸収範囲を広くできるホールダウン金物用位置調整金物を提供することを目的として創案したものである。
【課題を解決するための手段】
【０００７】
基礎の基部を埋設して先端を前記基礎上の土台を通じて土台上に突出したアンカーボルトと、前記土台に立設した柱に固着したホールダウン金物との間に介在させて、前記アンカーボルトと前記ホールダウン金物とを接合する金物であって、前記アンカーボルトに外嵌して組合わせ、上端を該アンカーボルトに螺合する第一ナットに係止する第一円筒体と、前記ホールダウン金物に貫通させて上端を該ホールダウン金物に係止する接続ボルトに外嵌して組合わせ、下端を該接続ボルトに螺合する第二ナットに係止する第二円筒体とを備え、第一、第二の各円筒体を、それぞれに設けた接続孔に緩く挿通させた調整リングで互いに接続した、構成としたものである。
【発明の効果】
【０００８】
本発明によれば、柱に固着したホールダウン金物と土台より突出させたアンカーボルトの位置関係に、想定外のずれがあっても、これを吸収して両者を緊結でき、従って、ホールダウン金物（および接続ボルト）とセットにして柱を基礎コンクリートに強固に接合するに好適な、位置ずれの吸収範囲の広い、金物を提供することができる。
【図面の簡単な説明】
【０００９】
【図１】使用状態を示す正面図。
【図２】図１の拡大図。
【図３】図２の平面図。
【実施例】
【００１０】
図中、Ａは本発明に係るホールダウン金物用位置調整金物で、ホールダウン金物用位置調整金物Ａは、適宜の長さの第一円筒体１と第二円筒体２を備え、各円筒体１，２の主体筒１ａ，２ａ周側に半円リング状の接続部片１ｂ，２ｂを突設して形成した接続孔１ｂ´，２ｂ´に、長円状リング体で成る調整リング３を緩く挿通させて前記接続部片１ｂ，２ｂ間にわたして前記第一、第二の円等体１，２を接続して構成したものである。
【００１１】
このホールダウン金物用位置調整金物Ａは、土台ｂ上に立設した（基礎コンクリートｃ上に柱脚金物を介して直接的に立設している場合でも不都合はない）柱ｐに固着したホールダウン金物２１と、基部を基礎コンクリートｃに埋め込んだアンカーボルト３１の、前記土台ｂを通じて土台ｂより突出させた先端部３１ａとの間に介在させ、これらを接続し、柱ｐを基礎コンクリートｃに直接締結させ、柱ｐの接合強度を図るために用いるのである。
【００１２】
前記ホールダウン金物２１は、上下方向に長い平板状の取付部片２１ａの下端部表面に方形枠状の係止枠２１ｂを突設して構成し、取付部片２１ａを柱ｐの表面に重ね合わせて締付けボルト２２とこれに螺合した締付けナット２３とで柱ｐに固着したものである。
【００１３】
このホールダウン金物２１の前記係止枠２１ｂの上部片である緊締受部片２１ｂ´に設けた透孔２４に、接続ボルト２５の上側ねじ部２５ａを貫通させ、透孔２４より突出するボルト２５の先端（上側ねじ部２５ａ）に係止ナット２６を螺合して接続ボルト２５をホールダウン金物２１に組付け、該接続ボルト２５の下側ねじ部２５ｂ側に、前記ホールダウン金物用位置調整金物Ａの第二円筒体２の主体筒２ａを該ねじ部２５ｂに外嵌して（主体筒２ａに下側ねじ部２５ｂを貫通させて）組合わせ、主体筒２ａより突出する下側ねじ部２５ｂの先端に第二受圧ナット４を螺合して、ホールダウン金物用位置調整金物Ａの第二円筒体２側をホールダウン金物２１側に組付ける。
【００１４】
ホールダウン金物用位置調整金物Ａの第一円筒体１側は、主体筒１ａを、土台ｂより突出するアンカーボルト３１の先端部３１ａに外嵌して（主体筒１ａにアンカーボルト先端部３１ａを貫通させて）組合わせ、主体筒１ａより突出するアンカーボルト３１の先端部３１ａに第一ナット５を螺合して組付ける。
【００１５】
そして、第一、第二の各ナット４，５（実施例の場合は係止ナット２６も含めて）を適宜締め付けると、第一円筒体１はアンカーボルト３１に沿って降下し（第一受圧ナット５よりアンカーボルト３１に沿う上昇を規制され）、第二円筒体２は接続ボルト２５に沿って上昇する（第二受圧ナット４により接続ボルト２５に沿う降下を規制される）関係にあり、かつ、調整リング３に対し、第一、第二の円筒体１，２は接続部片１ｂ，２ｂにおいて遊嵌され、左右方向と上下方向に自在に回動できる関係で組合わされているので、ホールダウン金物２１とアンカーボルト３１はホールダウン金物用位置調整金物Ａおよび接続ボルト２５を介して緊結され、柱ｐは基礎ｃに接合されるのである。
【００１６】
なお、ホールダウン金物２１は実施例の構造のものに限定する必要はなく、要は、柱ｐに固着して、接続ボルト２５からの荷重を受ける構造のものであれば良い。
【００１７】
また、接続ボルト２５は、全長にわたってねじを設けたものでも良いし、いわゆる頭部付きボルトでも不都合はなく、頭部付きボルトの場合は、部品点数が少なくでき、組付け作業の省力化を図り、実施例の係止ナット２６を省略することができるが、実施例よりは調整範囲が狭まることになる。
【００１８】
なおまた、第一、第二の円筒体１，２は、実施例は、互いに同形のものとして勝手自在（第二円筒体２を接続ボルト２５側にして第一円筒体１をアンカーボルト側に配するようにして）にしてあるが、異形のもの（例えば、主体筒１ａ，２ａの長さを変える等して）にしても不都合はない。
【符号の説明】
【００１９】
１      第一円筒体
２      第二円筒体
３      調整リング
４      第二ナット
５      第一ナット
２１    ホールダウン金物
２５    接続ボルト
３１    アンカーボルト
【図１】
2011052382.tif 000003
【図２】
2011052382.tif 000004
【図３】
2011052382.tif 000005